(57)【要約】  映像出力装置は、主映像データと、主映像データが示す画像の階調を補完するデータを含む副映像データとをデコード可能なデコーダと、デコーダによりデコードされた、主映像データおよび／または副映像データを出力可能な出力部と、出力部を制御する制御部と、を備える。制御部は、通常再生方式で映像データを再生する場合には、デコードされた主映像データとデコードされた副映像データとが合成されたデータを出力するよう出力部を制御し、通常再生方式よりも高いデコード処理性能が必要な特殊再生方式で映像データを再生する場合には、デコードされた主映像データのみを出力するよう出力部を制御する。
2013125158.tif 000002
【特許請求の範囲】
【請求項１】
主映像データと、前記主映像データが示す画像の階調を補完するデータを含む副映像データとをデコード可能なデコーダと、
前記デコーダによりデコードされた、主映像データおよび／または副映像データを出力可能な出力部と、
前記出力部を制御する制御部と、を備え、
前記制御部は、通常再生方式で映像データを再生する場合には、前記デコードされた主映像データと前記デコードされた副映像データとが合成されたデータを出力するよう前記出力部を制御し、前記通常再生方式よりも高いデコード処理性能が必要な特殊再生方式で映像データを再生する場合には、前記デコードされた主映像データのみを出力するよう前記出力部を制御する、
映像出力装置。
【請求項２】
前記デコーダは、通常再生方式で映像データを再生する場合には、前記主映像データと前記副映像データとをデコードし、前記特殊再生方式で映像データを再生する場合には、前記主映像データのみをデコードする、請求項１記載の映像出力装置。
【請求項３】
前記特殊再生方式は、前記通常再生方式と比較して、映像データの再生速度が速い再生方式である、請求項１または２に記載の映像出力装置。
【請求項４】
前記通常再生方式は、映像データの各フレームを順送りで出力する方式であるのに対し、前記特殊再生方式は、映像データの各フレームを逆送りで出力する方式である、
請求項１または２に記載の映像出力装置。
【請求項５】
映像データを記録する記録媒体をさらに備え、
前記制御部は、前記記録媒体に映像データが記録されている間は、映像データを前記通常再生方式で再生する場合であっても、前記デコード済み主映像データのみを出力するよう前記出力部を制御する、
請求項１〜４の何れか１項に記載の映像出力装置。
【請求項６】
前記デコーダが前記主映像データをデコードしている際に、前記副映像データをデコードできない場合、前記制御部は、映像データを前記通常再生方式で再生する場合であっても、前記デコード済み主映像データのみを出力するよう前記出力部を制御する、
請求項１〜５の何れか１項に記載の映像出力装置。
【請求項７】
前記主映像データと前記副映像データとは１つの記録媒体に格納されている、
請求項１〜６の何れか１項に記載の映像出力装置。
【請求項８】
前記主映像データと前記副映像データとは異なる記録媒体に格納されている、
請求項１〜６の何れか１項に記載の映像出力装置。
【発明の詳細な説明】
【技術分野】
【０００１】
本開示は、高階調の映像を出力できる映像出力装置に関する。
【背景技術】
【０００２】
特許文献１は、映像記録装置を開示する。特許文献１の映像記録装置は対象を撮影し、複数の映像信号を生成する。複数の映像信号を生成すると、映像記録装置は、１つを主ＴＳとして符号化し、他を副ＴＳとして符号化する。そして、映像記録装置は、符号化した副ＴＳをヌルＴＳに擬装する。【０００３】
これにより、この映像記録装置は、高々１つの映像ストリームと、ヌルストリームとを含むことが許容される多重化ストリームを用いて、複数の映像ストリームで表される映像コンテンツの記録や伝送を行うことができる。
【先行技術文献】
【特許文献】
【０００４】
【特許文献１】特開２００９−１９４７５８号公報
【発明の概要】
【発明が解決しようとする課題】
【０００５】
ところで、映画スタジオなどで製作されるマスタデータの多くは、１０ｂｉｔや１２ｂｉｔの高階調データとして記録されている。その一方で、民生用のビデオ配信規格であるブルーレイディスク（以下、「ＢＤ」と称する）においては、映像は８ｂｉｔの階調に制限された状態で記録されている。このため、マスタデータの映像がＢＤに記録された段階で映像の階調がオリジナルのマスタデータに対して劣化している。【０００６】
本開示は、マスタデータと同等の高い階調を有する映像を再現できる映像出力装置を提供することを目的とする。
【課題を解決するための手段】
【０００７】
本開示に係る映像出力装置は、主映像データと、主映像データが示す画像の階調を補完するデータを含む副映像データとをデコード可能なデコーダと、デコーダによりデコードされた、主映像データおよび／または副映像データを出力可能な出力部と、出力部を制御する制御部と、を備える。制御部は、通常再生方式で映像データを再生する場合には、デコードされた主映像データとデコードされた副映像データとが合成されたデータを出力するよう出力部を制御し、通常再生方式よりも高いデコード処理性能が必要な特殊再生方式で映像データを再生する場合には、デコードされた主映像データのみを出力するよう出力部を制御する。
【発明の効果】
【０００８】
本開示によれば、主映像データと主映像データが示す画像の階調を補完する副映像データとを合成して出力することで、マスタデータと同等の高階調の映像を出力することができる。
【図面の簡単な説明】
【０００９】
【図１】レコーダの電気的構成を示すブロック図
【図２】マイコンの構成を示すブロック図
【図３】主映像データと副映像データとの関係を説明するための模式図
【図４】ＢＤの再生動作を説明するためのフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
前述のように、マスタデータの多くは、１０ｂｉｔや１２ｂｉｔの高階調データとして記録される一方で、民生用のビデオ配信規格であるＢＤにおいては、映像は８ｂｉｔの階調に制限された状態で記録される。このため、マスタデータの映像がＢＤに記録された段階で映像の階調がオリジナルのマスタデータに対して劣化している。
【００１２】
ＢＤにマスタデータの階調をそのまま記録するためには、従来の８ｂｉｔ階調の映像（主映像データ）に加えて、足りない階調を補完するための副映像データを個別にエンコード処理してディスクに記録することが考えられる。そのように記録されたＢＤからマスタデータの階調を有する映像データをそのまま出力するためには、映像出力装置は以下の動作を行う必要がある。すなわち、映像出力装置は、主映像データと副映像データのそれぞれの映像データに対してデコード処理を行い、デコードされた主映像データと副映像データとをもとの階調になるように重畳して、高階調の映像データとして出力する必要がある。また、単純にエンコーダの対応ビット数を増やして記録する方法も考えられる。しかし，その場合には、民生機器で多く使用されている８ｂｉｔ対応のデコーダでの再生処理ができなくなり、また８ｂｉｔで記録されているＢＤとの互換性を保つことが困難となる。
【００１３】
このような映像出力装置においては，デコーダは複数のデータを同時に処理するための性能が求められるが，デコーダの使用状況や処理の負荷等によっては、映像出力装置は主映像データのデコード処理と副映像データのデコード処理とを両立できず、出力する映像を正しく再現できない場合も考えられる。
【００１４】
以下、上記の事情を考慮した映像出力装置の実施の形態について、図面を用いて説明する。
【００１５】
１．実施の形態１
１−１．概要
図１は、実施の形態１のレコーダの構成を示すブロック図である。レコーダ１００は、ＢＤドライブ１８０によりＢＤを再生できる。このＢＤは、通常の８ｂｉｔ階調の主映像データと主映像データが示す画像の階調を補完する副映像データとを記録する。レコーダ１００は、ＢＤが記録する主映像データと副映像データとを重畳して出力することで、高階調な映像を出力できる。
【００１６】
また、レコーダ１００は、映像データの早送りや巻き戻し等の特殊再生を実行できる。映像データの特殊再生時にはデコーダによる処理が通常再生の場合よりも多く発生する。すなわち、特殊再生時には通常再生方式よりも高いデコード処理性能が必要となる。この場合、デコード処理性能が十分でないと、主映像データと副映像データとの両方をデコードしようとすると、処理負荷がデコーダの能力を上回り、映像を正しく再現できない場合がある。
【００１７】
そこで、レコーダ１００は、通常再生方式で映像データを再生する場合には、デコード済み主映像データとデコード済み副映像データとを合成して出力する。一方、通常再生方式よりも高いデコーダの能力を要求する特殊再生方式で映像データを再生する場合には、レコーダ１００は、デコード済み主映像データのみを出力する。
【００１８】
このように再生方式に応じてデコードすべき映像データを変更することにより、レコーダ１００は、出力する映像を正しく再現できる可能性を向上している。
【００１９】
なお、本実施の形態においては、映像データ（フレーム）を通常の再生速度（１倍速）で順送りに再生する方式を「通常再生方式」といい、それ以外の再生方式を「特殊再生方式」という。
【００２０】
１−２．レコーダの構成
本実施の形態のレコーダ１００の構成について図１を用いて具体的に説明する。レコーダ１００は、チューナ１１０により受信した番組放送に対して、マイコン１３０により各種処理を施すことによって番組データを生成し、生成した番組データをＨＤＤ１４０やＢＤドライブ１８０内のＢＤに記録する。レコーダ１００は、ＨＤＤ１４０に記録されている番組データやＢＤに記録されているデータをＨＤＭＩ１５０や無線通信モジュール１７０を介して外部機器に送信する。以下、各構成の詳細について説明する。
【００２１】
チューナ１１０は、アンテナを介して受信した電波のうち、使用者が選局しているチャンネルの電波を抽出する。チューナ１１０は、抽出した電波に基づいて、マイコン１３０が処理可能なデジタルデータを生成する。
【００２２】
リモコン受光部１２０は、リモコンから送信される赤外線またはＲＦ波に変調された制御信号を受信する。例えば、リモコン受光部１２０は、電源ＯＮ／ＯＦＦ、チャンネル切替、録画開始／停止等の制御信号を受信する。リモコン受光部１２０は、受信した制御信号をマイコン１３０が解釈できるデジタル信号に変換する。
【００２３】
マイコン１３０は、レコーダ１００全体を制御する制御モジュールである。マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。マイコン１３０は、映像データをエンコードする機能、デコードする機能等を有する。
【００２４】
ＨＤＤ１４０は、動画像データ等を記録する装置である。ＨＤＤ１４０は、チューナ１１０を介して受信した番組放送を示す番組データ等を記録する。
【００２５】
ＨＤＭＩ１５０は、レコーダ１００とテレビ等の外部機器とを接続するインターフェースである。レコーダ１００は、ＨＤＭＩ１５０を介してＨＤＤ１４０に記録されている番組放送が示す番組データ等を外部機器に対して出力する。
【００２６】
無線通信モジュール１７０は、無線ＬＡＮ通信可能な通信モジュールである。無線通信モジュール１７０は、無線ＬＡＮ通信の国際標準規格である「ＩＥＥＥ８０２．１１」規格に準拠している。無線通信モジュール１７０は、アクセスポイントを介して外部機器等とＩＰ（Ｉｎｔｅｒｎｅｔ Ｐｒｏｔｏｃｏｌ）により通信できる。
【００２７】
ＢＤドライブ１８０は、ＢＤにデータを記録したり、ＢＤに記録されているデータを読み出したりするドライブである。
【００２８】
１−３．マイコンの構成
マイコン１３０に含まれる機能ブロックのうち、ＢＤの再生時に使用する機能ブロックについてのみ図２を用いて説明する。図２は、ＢＤの再生時に使用する機能ブロックを示すブロック図である。
【００２９】
ＢＤは、映像データとして、本編のビデオデータの他、ポップアップメニュー等のメニューを示すメニューデータや字幕を示す字幕データ等を記録している。ＢＤドライブ１８０を介してＢＤから読み出された各映像データは、メニューデコーダ１３１、字幕デコーダ１３２及びビデオデコーダ１３３に伝送される。
【００３０】
メニューデコーダ１３１は、メニューデータをデコードするデコーダである。字幕デコーダ１３２は、字幕データをデコードするデコーダである。ビデオデコーダ１３３は、ビデオデータ（主映像データと副映像データとを含む）をデコードするデコーダである。メニューデコーダ１３１、字幕デコーダ１３２でデコードされたデータは、それぞれバッファメモリ１３１ｂ、１３２ｂに格納される。
【００３１】
ビデオデコーダ１３３は、デコードした主映像データと、デコードした副映像データとをそれぞれ別々のブロックに伝送する。演算ユニット１３４は、副映像データに対してビットシフト演算を行う。ビデオデコーダ１３３によりデコードされた主映像データおよび副映像データは、それぞれバッファメモリ１３３ｂ、１３３ｃに格納される。
【００３２】
デコードされた主映像データとデコードされた副映像データとを合成するか否かは、演算ユニット１３４の後方のスイッチ１３６の状態により決定される。すなわち、演算ユニット１３４の後方のスイッチ１３６がＯＮのときには、主映像データと副映像データとが合成された高階調な映像データがＨＤＭＩ１５０から出力される。一方、演算ユニット１３４の後方のスイッチ１３６がＯＦＦのときには、主映像データのみがＨＤＭＩ１５０から出力される。
【００３３】
１−４．主映像データと副映像データとの関係
ＢＤに記録されている主映像データと副映像データとの関係を説明する。図３は、ＢＤに記録されている主映像データと副映像データとの関係を説明するための模式図である。
【００３４】
主映像データは、図３（ａ）に示すように、映像の階調が８ｂｉｔで表されている通常の映像データである。一方、副映像データは、映像の階調が８ｂｉｔで表されているが、あくまでも主映像データを補完するための映像データである。副映像データは、具体的には、主映像データとマスタデータとの差分を表す映像データである。
【００３５】
副映像データは、図３（ｂ）に示すように、ＬＳＢ（Ｌｅａｓｔ Ｓｉｇｎｉｆｉｃａｎｔ Ｂｉｔ）側に４ｂｉｔシフトされる。このシフト処理は、演算ユニット１３４により実行される。ＬＳＢ側に４ｂｉｔシフトされた副映像データと主映像データとを加算することで、１２ｂｉｔで階調表現された高階調な映像データを生成できる。
【００３６】
なお、ＢＤ上において、主映像データと副映像データとは、ＭＰＥＧ４−ＡＶＣ（ＭＰＥＧ−４ Ｐａｒｔ１０ Ａｄｖａｎｃｅｄ Ｖｉｄｅｏ Ｃｏｄｉｎｇ）のＭＶＣ（Ｍｕｌｔｉ Ｖｉｅｗ Ｃｏｄｉｎｇ）フォーマットに則って記録されている。具体的には、主映像データは、ＭＶＣにおけるベースビューとして記録され、副映像データは、ＭＶＣにおけるディペンデントビューとして記録される。ここで、ベースビューは、自己の符号化／復号化処理において、他のビュー（すなわち、ディペンデントビュー）を参照しない独立した映像データである。ベースビューは、他のビューの符号化／復号化処理において参照される。一方、ディペンデントビューは、自己の符号化／復号化処理において他のビュー（すなわち、ベースビュー）を参照する映像データである。ディペンデントビューは、イントラフレームを含まずに符号化することが可能な映像データである。
【００３７】
１−５．レコーダのＢＤ再生動作
レコーダ１００によるＢＤの再生動作について図４を用いて説明する。図４は、レコーダ１００におけるＢＤの再生動作を説明するためのフローチャートである。
【００３８】
使用者は、リモコンを操作することで、ＢＤの再生開始をレコーダ１００に指示できる。再生開始指示を受け付けると（Ｓ１００）、レコーダ１００のマイコン１３０は、チューナ１１０を介して受信した番組データのＨＤＤ１４０への記録を現在実行中であるか否かを判断する（Ｓ１１０）。
【００３９】
番組データのＨＤＤ１４０への記録を実行していると判断すると（Ｓ１１０においてＹＥＳ）、マイコン１３０は、ビデオデコーダ１３３により、ＢＤに記録されている映像データのうち主映像データのみをデコードする。マイコン１３０はデコードした主映像データのみを出力するようスイッチ１３６を制御するとともに、デコードした主映像データのみを外部機器に出力するようＨＤＭＩ１５０を制御する（Ｓ１２０）。このとき、マイコン１３０（ビデオデコーダ１３３）は副映像データをデコードしない。
【００４０】
一方、番組データのＨＤＤ１４０への記録を現在実行していないと判断すると（Ｓ１１０においてＮＯ）、マイコン１３０は、使用者から、早送り再生等の特殊再生の指示を受け付けているか否かを判断する（Ｓ１３０）。
【００４１】
特殊再生の指示を受け付けていると判断すると（Ｓ１３０においてＹＥＳ）、マイコン１３０は、ビデオデコーダ１３３により、ＢＤに記録されている映像データのうち主映像データのみをデコードするとともに、デコードした主映像データのみを出力するようＨＤＭＩ１５０を制御する（Ｓ１２０）。このとき、スイッチ１３６は、デコードした主映像データのみを出力するよう制御される。
【００４２】
一方、特殊再生指示を受け付けていないと判断すると（Ｓ１３０においてＮＯ）、すなわち、通常再生方式で再生する場合、マイコン１３０は、ビデオデコーダ１３３により、映像データのうち主映像データと副映像データとを共にデコードする。さらに、マイコン１３０は、デコード済みの主映像データと副映像データとが重畳されるようスイッチ１３６を制御するとともに、重畳した映像データを外部機器に出力するようにＨＤＭＩ１５０を制御する（Ｓ１４０）。
【００４３】
このように、本実施の形態にかかるレコーダ１００は、ＢＤに含まれる映像データを特殊再生でなく通常再生方式で再生する場合には、デコード済み主映像データとデコード済み副映像データとを合成したデータを出力するようＨＤＭＩ１５０を制御する。一方、映像データを通常再生方式よりも多くのデコーダ処理性能が必要な特殊再生方式により再生する場合（特殊再生の一つである早送り再生をする場合等）には、レコーダ１００は、デコード済み主映像データのみを出力するようＨＤＭＩ１５０を制御する。このように構成する理由について次に説明する。
【００４４】
例えば、特殊再生として、２倍の早送り再生を実行する場合を考える。このような特殊再生を実施する場合、マイコン１３０は、通常の２倍の速度で映像データのデコード処理等の映像信号処理を実行する必要がある。同時に、デコード済みの映像データのバッファ１３３ｂ、１３３ｃへの書き込み・読み出し処理も２倍になる。従って、マイコン１３０のデコード処理等の能力があまり高くない場合や、バッファ１３３ｂ、１３３ｃへの書き込み・読み出し速度があまり高くない場合には、全ての映像データが正確に出力されず、映像を正しく再現できない場合がある。
【００４５】
また、早送り再生等の特殊再生を行う場合、圧縮済みの映像データのうちのイントラフレームのみをデコードする場合がある。しかしながら、本実施の形態において、副映像データは、ＢＤ上において、ＭＶＣにおけるディペンデントビューとして記録されている。上述した通り、ディペンデントビューはイントラフレームを含んでいない。従って、特殊再生時にイントラフレームのみデコードするような場合に、ディペンデントビューがイントラフレームを含んでいないため、特殊再生時には副映像データが一切デコードされないという事態も生じ得る。
【００４６】
そこで、本実施の形態にかかるレコーダ１００は、ＢＤに含まれる映像データを、高い信号処理能力が要求されない通常の速度で再生する場合には、主映像データと副映像データとを合成して出力する。これにより、高階調の映像を再生できる。一方、映像データを通常の速度よりも速い速度で再生する場合（例えば、特殊再生の一つである早送り再生）は、レコーダ１００は、主映像データのみを出力する。このように主映像データのみを処理するようにしたことにより、速い速度で再生する場合であっても、マイコンの処理負荷の増大を防止でき、結果として、映像信号処理能力やバッファへのアクセス速度がさほど高くないマイコンを用いても、映像を正しく再生することが可能となる。すなわち、以上の構成により、主映像データと、主映像データが示す画像の階調を補完するデータを含む副映像データとを併せて出力することで高階調の映像を出力するレコーダであって、出力する映像を正しく再現できる可能性が高いレコーダを提供できる。
【００４７】
また、本実施の形態にかかるレコーダ１００において、マイコン１３０は、映像データをＨＤＤ１４０に記録中である場合には（Ｓ１１０でＹＥＳ）、映像データを通常再生方式で再生する場合であっても、デコード済み主映像データのみを出力するようＨＤＭＩ１５０を制御する。このように構成する理由を次に説明する。
【００４８】
レコーダ１００がチューナ１１０を介して放送を受信し、録画する場合、マイコン１３０は、受信した映像データ（例えば、ＭＰＥＧ２により圧縮されている）を一度デコードする。マイコン１３０は、デコードした映像データを別の方式（例えば、ＭＰＥＧ４−ＡＶＣ）によりエンコードし、エンコード済みの映像データをＨＤＤ１４０に記録する。このように、ＨＤＤ１４０に映像データを記録する場合には、マイコン１３０は、デコード処理及びエンコード処理を実行する。ＨＤＤ１４０への記録のための映像データのデコードと、主映像データのデコードと、副映像データのデコードとが重なると、一部の映像データが正しくデコードできないような事態も想定される。
【００４９】
そこで、本実施の形態にかかるレコーダ１００において、マイコン１３０は、映像データをＨＤＤ１４０に記録中に再生動作を行う場合には、映像データを通常再生方式で再生する場合であっても、主映像データのみを出力するようＨＤＭＩ１５０を制御する。これにより、主映像データと主映像データが示す画像の階調を補完するデータを含む副映像データとを併せて出力することで高階調の映像を出力するレコーダであって、出力する映像を正しく再現できる可能性が高いレコーダを提供できる。
【００５０】
１−６．効果等
以上のように本実施形態のレコーダ１００は、主映像データと、主映像データが示す画像の階調を補完するデータを含む副映像データとをデコード可能なビデオデコーダ１３３と、ビデオデコーダ１３３によりデコードされた、主映像データおよび／または副映像データを出力可能なＨＤＭＩ１５０と、ＨＤＭＩ１５０を制御するマイコン１３０と、を備える。マイコン１３０は、通常再生方式で映像データを再生する場合には、デコードされた主映像データとデコードされた副映像データとが合成されたデータを出力するようＨＤＭＩ１５０を制御し、通常再生方式よりも高いデコード処理性能が必要な特殊再生方式で映像データを再生する場合には、デコードされた主映像データのみを出力するようＨＤＭＩ１５０を制御する。
【００５１】
以上の構成により、通常再生方式の再生では高い階調の映像を再現しつつ、特殊再生方式での再生におけるデコード処理の負荷を低減できる。
【００５２】
２．他の実施の形態
以上のように、本出願において開示する技術の例示として、実施の形態１を説明した。しかしながら、本開示における技術は、これに限定されず、適宜、変更、置き換え、付加、省略などを行った実施の形態にも適用可能である。以下、他の実施の形態を例示する。
【００５３】
実施の形態１においては、ＢＤ上において、主映像データと副映像データとがＭＶＣフォーマットに則って記録されることとした。しかしながら、必ずしもこのような構成に限られない。例えば、主映像データと副映像データとがそれぞれ独立した映像データとして記録されていてもよい。要するに、主映像データと副映像データとがそれぞれ区別可能に管理されていればよい。
【００５４】
また、実施の形態１においては、主映像データと副映像データとがそれぞれ同じＢＤ上に記録されていることとした。しかしながら、必ずしもこのような構成に限定されない。例えば、主映像データはＢＤ上に記録されているが、副映像データはメモリカードスロット（図示せず）に挿入可能なメモリカードに記録されていてもよい。また、主映像データはＢＤ上に記録されているが、副映像データは、無線通信モジュール１７０を介して外部のサーバから受信するような構成であってもよい。すなわち、主映像データと副映像データとはそれぞれ異なる記録媒体に記録されていてもよい。
【００５５】
また、実施の形態１においては、主映像データと副映像データとを重畳した際に、１２ｂｉｔの高階調な映像データを出力することとした。しかしながら、必ずしもこのような構成に限定されない。例えば、主映像データと副映像データとを重畳した際に、１０ｂｉｔの高階調な映像データを出力する構成としてもよい。この場合には、レコーダ１００は、副映像データをＬＳＢ側に２ｂｉｔシフトした後に主映像データと加算する。また、ＢＤ内に副映像データのｂｉｔシフト量を記録しておくような方式であってもよい。この場合には、レコーダ１００は、ＢＤ内のｂｉｔシフト量を示す情報を参照し、演算ユニット１３４で副映像データのｂｉｔシフト演算を実行すればよい。
【００５６】
また、実施の形態１においては、ＨＤＤ１４０に映像データを記録している場合には、特殊再生の有無に関わらず、主映像データのみを出力することとした。しかしながら、必ずしもこのような構成に限られない。例えば、チューナ１１０を介して受信した映像データを再エンコードしてＨＤＤ１４０に記録している場合には、特殊再生の有無に関わらず、主映像データのみを出力するが、チューナ１１０を介して受信した映像データを再エンコードせずにそのままＨＤＤ１４０に記録している場合には、特殊再生している場合にのみ、主映像データのみを出力するような構成であってもよい。
【００５７】
また、実施の形態１においては、特殊再生方式の例として早送り再生を挙げた。しかしながら、必ずしもこのような例には限定されない。例えば、映像データ（フレーム）を逆方向に再生する方式（巻き戻し再生）であってもよいし、逆方向に再生しつつ再生スピードを落とすような方式（逆スロー再生）であってもよい。
【００５８】
また、実施の形態１においては、映像データの記録中において、映像データを通常再生方式で再生する場合においても、デコード済み主映像データのみを出力することとした。しかしながら、必ずしもこのような構成とする必要はない。例えば、映像データの記録中でかつ、映像データを特殊再生方式で再生する場合のみ、デコード済み主映像データのみを出力する構成としてもよい。要するに、主映像データをデコードしている際に、副映像データをデコードできない場合には、デコード済み主映像データのみを出力し、主映像データをデコードしている際に、副映像データをデコードできる場合には、デコード済み主映像データとデコード済み副映像データとを合成して出力するようにすればよい。
【００５９】
また、図２に示したマイコン１３０に含まれる機能ブロックの一部を、マイコン１３０とは別のマイコンに含めるようにしてもよい。
【００６０】
また、レコーダ１００は、デコード後のメニューデータ、字幕データ、映像データの各々についてリサイズ処理を行う機能を有してもよく、リサイズ処理後の各データを合成してＨＤＭＩ１５０を介して外部機器に出力するようにしてもよい。そのような場合、リサイズ処理を実行する際には、主映像データのみを出力するようにし、リサイズ処理を実行しない場合に主映像データと副映像データを重畳して出力するようにしてもよい。また、デコード後の映像データについて、副映像データと合成する前に画質調整処理を行ってもよく、この場合も同様に、画質調整処理を実行する際には、主映像データのみを出力するようにし、画質調整処理を実行しない場合に主映像データと副映像データを重畳して出力するようにしてもよい。
【００６１】
以上のように、本開示における技術の例示として、実施の形態を説明した。そのために、添付図面および詳細な説明を提供した。
【００６２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示によれば、マスタデータと同等の高階調の映像を出力することができる映像出力装置を提供できる。よって、本開示の思想は、ＢＤプレーヤやＢＤレコーダ等の光ディスクを再生可能な映像出力装置に適用できる。
【図１】
2013125158.tif 000003
【図２】
2013125158.tif 000004
【図３】
2013125158.tif 000005
【図４】
2013125158.tif 000006
【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
主映像データと、前記主映像データが示す画像の階調を補完するデータを含む副映像データとをデコード可能なデコーダと、
前記デコーダによりデコードされた、主映像データおよび／または副映像データを出力可能な出力部と、
デコードされた前記主映像データに対してリサイズ処理を行うリサイズ処理部と、
前記出力部を制御する制御部と、を備え、
前記制御部は、前記主映像データに対してリサイズ処理が行われない場合には、前記デコードされた主映像データと前記デコードされた副映像データとが合成されたデータを出力するよう前記出力部を制御し、前記主映像データに対してリサイズ処理が行われた場合には、前記デコードされた主映像データのみを出力するよう前記出力部を制御する、
映像出力装置。
【請求項２】
前記デコーダは、前記主映像データに対してリサイズ処理が行われない場合には、前記主映像データと前記副映像データとをデコードし、前記主映像データに対してリサイズ処理が行われた場合には、前記主映像データのみをデコードする、請求項１記載の映像出力装置。
【請求項３】
（削除）
【請求項４】
（削除）
【請求項５】
（削除）
【請求項６】
前記デコーダが前記主映像データをデコードしている際に、前記副映像データをデコードできない場合、前記制御部は、前記主映像データに対してリサイズ処理が行われない場合であっても、前記デコード済み主映像データのみを出力するよう前記出力部を制御する、
請求項１に記載の映像出力装置。
【請求項７】
前記主映像データと前記副映像データとは１つの記録媒体に格納されている、
請求項１に記載の映像出力装置。
【請求項８】
前記主映像データと前記副映像データとは異なる記録媒体に格納されている、
請求項１に記載の映像出力装置。
【手続補正２】
【補正対象書類名】明細書
【補正対象項目名】０００２
【補正方法】変更
【補正の内容】
【０００２】
の階調を補完するデータを含む副映像データとをデコード可能なデコーダと、デコーダによりデコードされた、主映像データおよび／または副映像データを出力可能な出力部と、デコードされた主映像データに対してリサイズ処理を行うリサイズ処理部と、出力部を制御する制御部と、を備える。制御部は、主映像データに対してリサイズ処理が行われない場合には、デコードされた主映像データとデコードされた副映像データとが合成されたデータを出力するよう出力部を制御し、主映像データに対してリサイズ処理が行われた場合には、デコードされた主映像データのみを出力するよう出力部を制御する。
発明の効果
［０００８］
本開示によれば、主映像データと主映像データが示す画像の階調を補完する副映像データとを合成して出力することで、マスタデータと同等の高階調の映像を出力することができる。
図面の簡単な説明
［０００９］
［図１］レコーダの電気的構成を示すブロック図
［図２］マイコンの構成を示すブロック図
［図３］主映像データと副映像データとの関係を説明するための模式図
［図４］ＢＤの再生動作を説明するためのフローチャート
発明を実施するための形態
［００１０］
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
［００１１］
前述のように、マスタデータの多くは、１０ｂｉｔや１２ｂｉｔの高階調データとして記録される一方で、民生用のビデオ配信規格であるＢＤにおいては、映像は８ｂｉｔの階調に制限された状態で記録される。このため、マ
【手続補正書】
【提出日】平成26年10月10日(2014.10.10)
【手続補正１】
【補正対象書類名】特許請求の範囲
【補正対象項目名】全文
【補正方法】変更
【補正の内容】
【特許請求の範囲】
【請求項１】
主映像データと、前記主映像データが示す画像の階調を補完するデータを含む副映像データとをデコード可能なデコーダと、
前記デコーダによりデコードされた、主映像データおよび／または副映像データを出力可能な出力部と、
デコードされた前記主映像データに対してリサイズ処理を行うリサイズ処理部と、
前記出力部を制御する制御部と、を備え、
前記制御部は、前記主映像データに対してリサイズ処理が行われない場合には、前記デコードされた主映像データと前記デコードされた副映像データとが合成されたデータを出力するよう前記出力部を制御し、前記主映像データに対してリサイズ処理が行われた場合には、前記デコードされた主映像データのみを出力するよう前記出力部を制御する、
映像出力装置。
【請求項２】
前記デコーダは、前記主映像データに対してリサイズ処理が行われない場合には、前記主映像データと前記副映像データとをデコードし、前記主映像データに対してリサイズ処理が行われた場合には、前記主映像データのみをデコードする、
請求項１記載の映像出力装置。
【請求項３】
前記デコーダが前記主映像データをデコードしている際に、前記副映像データをデコードできない場合、前記制御部は、前記主映像データに対してリサイズ処理が行われない場合であっても、前記デコード済み主映像データのみを出力するよう前記出力部を制御する、
請求項１に記載の映像出力装置。
【請求項４】
前記主映像データと前記副映像データとは１つの記録媒体に格納されている、
請求項１に記載の映像出力装置。
【請求項５】
前記主映像データと前記副映像データとは異なる記録媒体に格納されている、
請求項１に記載の映像出力装置。
【手続補正２】
【補正対象書類名】明細書
【補正対象項目名】全文
【補正方法】変更
【補正の内容】
【発明の詳細な説明】
【技術分野】
【０００１】
本開示は、高階調の映像を出力できる映像出力装置に関する。
【背景技術】
【０００２】
特許文献１は、映像記録装置を開示する。特許文献１の映像記録装置は対象を撮影し、複数の映像信号を生成する。複数の映像信号を生成すると、映像記録装置は、１つを主ＴＳとして符号化し、他を副ＴＳとして符号化する。そして、映像記録装置は、符号化した副ＴＳをヌルＴＳに擬装する。
【０００３】
これにより、この映像記録装置は、高々１つの映像ストリームと、ヌルストリームとを含むことが許容される多重化ストリームを用いて、複数の映像ストリームで表される映像コンテンツの記録や伝送を行うことができる。
【先行技術文献】
【特許文献】
【０００４】
【特許文献１】特開２００９−１９４７５８号公報
【発明の概要】
【発明が解決しようとする課題】
【０００５】
ところで、映画スタジオなどで製作されるマスタデータの多くは、１０ｂｉｔや１２ｂｉｔの高階調データとして記録されている。その一方で、民生用のビデオ配信規格であるブルーレイディスク（以下、「ＢＤ」と称する）においては、映像は８ｂｉｔの階調に制限された状態で記録されている。このため、マスタデータの映像がＢＤに記録された段階で映像の階調がオリジナルのマスタデータに対して劣化している。
【０００６】
本開示は、マスタデータと同等の高い階調を有する映像を再現できる映像出力装置を提供することを目的とする。
【課題を解決するための手段】
【０００７】
本開示に係る映像出力装置は、主映像データと、主映像データが示す画像の階調を補完するデータを含む副映像データとをデコード可能なデコーダと、デコーダによりデコードされた、主映像データおよび／または副映像データを出力可能な出力部と、デコードされた主映像データに対してリサイズ処理を行うリサイズ処理部と、出力部を制御する制御部と、を備える。制御部は、主映像データに対してリサイズ処理が行われない場合には、デコードされた主映像データとデコードされた副映像データとが合成されたデータを出力するよう出力部を制御し、主映像データに対してリサイズ処理が行われた場合には、デコードされた主映像データのみを出力するよう出力部を制御する。
【発明の効果】
【０００８】
本開示によれば、主映像データと主映像データが示す画像の階調を補完する副映像データとを合成して出力することで、マスタデータと同等の高階調の映像を出力することができる。
【図面の簡単な説明】
【０００９】
【図１】レコーダの電気的構成を示すブロック図
【図２】マイコンの構成を示すブロック図
【図３】主映像データと副映像データとの関係を説明するための模式図
【図４】ＢＤの再生動作を説明するためのフローチャート
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者（ら）は、当業者が本開示を十分に理解するために添付図面および以下の説明を提供するのであって、これらによって特許請求の範囲に記載の主題を限定することを意図するものではない。
【００１１】
前述のように、マスタデータの多くは、１０ｂｉｔや１２ｂｉｔの高階調データとして記録される一方で、民生用のビデオ配信規格であるＢＤにおいては、映像は８ｂｉｔの階調に制限された状態で記録される。このため、マスタデータの映像がＢＤに記録された段階で映像の階調がオリジナルのマスタデータに対して劣化している。
【００１２】
ＢＤにマスタデータの階調をそのまま記録するためには、従来の８ｂｉｔ階調の映像（主映像データ）に加えて、足りない階調を補完するための副映像データを個別にエンコード処理してディスクに記録することが考えられる。そのように記録されたＢＤからマスタデータの階調を有する映像データをそのまま出力するためには、映像出力装置は以下の動作を行う必要がある。すなわち、映像出力装置は、主映像データと副映像データのそれぞれの映像データに対してデコード処理を行い、デコードされた主映像データと副映像データとをもとの階調になるように重畳して、高階調の映像データとして出力する必要がある。また、単純にエンコーダの対応ビット数を増やして記録する方法も考えられる。しかし，その場合には、民生機器で多く使用されている８ｂｉｔ対応のデコーダでの再生処理ができなくなり、また８ｂｉｔで記録されているＢＤとの互換性を保つことが困難となる。
【００１３】
このような映像出力装置においては，デコーダは複数のデータを同時に処理するための性能が求められるが，デコーダの使用状況や処理の負荷等によっては、映像出力装置は主映像データのデコード処理と副映像データのデコード処理とを両立できず、出力する映像を正しく再現できない場合も考えられる。
【００１４】
以下、上記の事情を考慮した映像出力装置の実施の形態について、図面を用いて説明する。
【００１５】
１．実施の形態１
１−１．概要
図１は、実施の形態１のレコーダの構成を示すブロック図である。レコーダ１００は、ＢＤドライブ１８０によりＢＤを再生できる。このＢＤは、通常の８ｂｉｔ階調の主映像データと主映像データが示す画像の階調を補完する副映像データとを記録する。レコーダ１００は、ＢＤが記録する主映像データと副映像データとを重畳して出力することで、高階調な映像を出力できる。
【００１６】
また、レコーダ１００は、映像データの早送りや巻き戻し等の特殊再生を実行できる。映像データの特殊再生時にはデコーダによる処理が通常再生の場合よりも多く発生する。すなわち、特殊再生時には通常再生方式よりも高いデコード処理性能が必要となる。この場合、デコード処理性能が十分でないと、主映像データと副映像データとの両方をデコードしようとすると、処理負荷がデコーダの能力を上回り、映像を正しく再現できない場合がある。
【００１７】
そこで、レコーダ１００は、通常再生方式で映像データを再生する場合には、デコード済み主映像データとデコード済み副映像データとを合成して出力する。一方、通常再生方式よりも高いデコーダの能力を要求する特殊再生方式で映像データを再生する場合には、レコーダ１００は、デコード済み主映像データのみを出力する。
【００１８】
このように再生方式に応じてデコードすべき映像データを変更することにより、レコーダ１００は、出力する映像を正しく再現できる可能性を向上している。
【００１９】
なお、本実施の形態においては、映像データ（フレーム）を通常の再生速度（１倍速）で順送りに再生する方式を「通常再生方式」といい、それ以外の再生方式を「特殊再生方式」という。
【００２０】
１−２．レコーダの構成
本実施の形態のレコーダ１００の構成について図１を用いて具体的に説明する。レコーダ１００は、チューナ１１０により受信した番組放送に対して、マイコン１３０により各種処理を施すことによって番組データを生成し、生成した番組データをＨＤＤ１４０やＢＤドライブ１８０内のＢＤに記録する。レコーダ１００は、ＨＤＤ１４０に記録されている番組データやＢＤに記録されているデータをＨＤＭＩ１５０や無線通信モジュール１７０を介して外部機器に送信する。以下、各構成の詳細について説明する。
【００２１】
チューナ１１０は、アンテナを介して受信した電波のうち、使用者が選局しているチャンネルの電波を抽出する。チューナ１１０は、抽出した電波に基づいて、マイコン１３０が処理可能なデジタルデータを生成する。
【００２２】
リモコン受光部１２０は、リモコンから送信される赤外線またはＲＦ波に変調された制御信号を受信する。例えば、リモコン受光部１２０は、電源ＯＮ／ＯＦＦ、チャンネル切替、録画開始／停止等の制御信号を受信する。リモコン受光部１２０は、受信した制御信号をマイコン１３０が解釈できるデジタル信号に変換する。
【００２３】
マイコン１３０は、レコーダ１００全体を制御する制御モジュールである。マイコン１３０は、ＳＯＣ（Ｓｙｓｔｅｍ Ｏｎ Ｃｈｉｐ）で構成される。従って、マイコン１３０は、ＣＰＵ、メモリ、データ信号処理回路を一体として構成される。マイコン１３０は、映像データをエンコードする機能、デコードする機能等を有する。
【００２４】
ＨＤＤ１４０は、動画像データ等を記録する装置である。ＨＤＤ１４０は、チューナ１１０を介して受信した番組放送を示す番組データ等を記録する。
【００２５】
ＨＤＭＩ１５０は、レコーダ１００とテレビ等の外部機器とを接続するインターフェースである。レコーダ１００は、ＨＤＭＩ１５０を介してＨＤＤ１４０に記録されている番組放送が示す番組データ等を外部機器に対して出力する。
【００２６】
無線通信モジュール１７０は、無線ＬＡＮ通信可能な通信モジュールである。無線通信モジュール１７０は、無線ＬＡＮ通信の国際標準規格である「ＩＥＥＥ８０２．１１」規格に準拠している。無線通信モジュール１７０は、アクセスポイントを介して外部機器等とＩＰ（Ｉｎｔｅｒｎｅｔ Ｐｒｏｔｏｃｏｌ）により通信できる。
【００２７】
ＢＤドライブ１８０は、ＢＤにデータを記録したり、ＢＤに記録されているデータを読み出したりするドライブである。
【００２８】
１−３．マイコンの構成
マイコン１３０に含まれる機能ブロックのうち、ＢＤの再生時に使用する機能ブロックについてのみ図２を用いて説明する。図２は、ＢＤの再生時に使用する機能ブロックを示すブロック図である。
【００２９】
ＢＤは、映像データとして、本編のビデオデータの他、ポップアップメニュー等のメニューを示すメニューデータや字幕を示す字幕データ等を記録している。ＢＤドライブ１８０を介してＢＤから読み出された各映像データは、メニューデコーダ１３１、字幕デコーダ１３２及びビデオデコーダ１３３に伝送される。
【００３０】
メニューデコーダ１３１は、メニューデータをデコードするデコーダである。字幕デコーダ１３２は、字幕データをデコードするデコーダである。ビデオデコーダ１３３は、ビデオデータ（主映像データと副映像データとを含む）をデコードするデコーダである。メニューデコーダ１３１、字幕デコーダ１３２でデコードされたデータは、それぞれバッファメモリ１３１ｂ、１３２ｂに格納される。
【００３１】
ビデオデコーダ１３３は、デコードした主映像データと、デコードした副映像データとをそれぞれ別々のブロックに伝送する。演算ユニット１３４は、副映像データに対してビットシフト演算を行う。ビデオデコーダ１３３によりデコードされた主映像データおよび副映像データは、それぞれバッファメモリ１３３ｂ、１３３ｃに格納される。
【００３２】
デコードされた主映像データとデコードされた副映像データとを合成するか否かは、演算ユニット１３４の後方のスイッチ１３６の状態により決定される。すなわち、演算ユニット１３４の後方のスイッチ１３６がＯＮのときには、主映像データと副映像データとが合成された高階調な映像データがＨＤＭＩ１５０から出力される。一方、演算ユニット１３４の後方のスイッチ１３６がＯＦＦのときには、主映像データのみがＨＤＭＩ１５０から出力される。
【００３３】
１−４．主映像データと副映像データとの関係
ＢＤに記録されている主映像データと副映像データとの関係を説明する。図３は、ＢＤに記録されている主映像データと副映像データとの関係を説明するための模式図である。
【００３４】
主映像データは、図３（ａ）に示すように、映像の階調が８ｂｉｔで表されている通常の映像データである。一方、副映像データは、映像の階調が８ｂｉｔで表されているが、あくまでも主映像データを補完するための映像データである。副映像データは、具体的には、主映像データとマスタデータとの差分を表す映像データである。
【００３５】
副映像データは、図３（ｂ）に示すように、ＬＳＢ（Ｌｅａｓｔ Ｓｉｇｎｉｆｉｃａｎｔ Ｂｉｔ）側に４ｂｉｔシフトされる。このシフト処理は、演算ユニット１３４により実行される。ＬＳＢ側に４ｂｉｔシフトされた副映像データと主映像データとを加算することで、１２ｂｉｔで階調表現された高階調な映像データを生成できる。
【００３６】
なお、ＢＤ上において、主映像データと副映像データとは、ＭＰＥＧ４−ＡＶＣ（ＭＰＥＧ−４ Ｐａｒｔ１０ Ａｄｖａｎｃｅｄ Ｖｉｄｅｏ Ｃｏｄｉｎｇ）のＭＶＣ（Ｍｕｌｔｉ Ｖｉｅｗ Ｃｏｄｉｎｇ）フォーマットに則って記録されている。具体的には、主映像データは、ＭＶＣにおけるベースビューとして記録され、副映像データは、ＭＶＣにおけるディペンデントビューとして記録される。ここで、ベースビューは、自己の符号化／復号化処理において、他のビュー（すなわち、ディペンデントビュー）を参照しない独立した映像データである。ベースビューは、他のビューの符号化／復号化処理において参照される。一方、ディペンデントビューは、自己の符号化／復号化処理において他のビュー（すなわち、ベースビュー）を参照する映像データである。ディペンデントビューは、イントラフレームを含まずに符号化することが可能な映像データである。
【００３７】
１−５．レコーダのＢＤ再生動作
レコーダ１００によるＢＤの再生動作について図４を用いて説明する。図４は、レコーダ１００におけるＢＤの再生動作を説明するためのフローチャートである。
【００３８】
使用者は、リモコンを操作することで、ＢＤの再生開始をレコーダ１００に指示できる。再生開始指示を受け付けると（Ｓ１００）、レコーダ１００のマイコン１３０は、チューナ１１０を介して受信した番組データのＨＤＤ１４０への記録を現在実行中であるか否かを判断する（Ｓ１１０）。
【００３９】
番組データのＨＤＤ１４０への記録を実行していると判断すると（Ｓ１１０においてＹＥＳ）、マイコン１３０は、ビデオデコーダ１３３により、ＢＤに記録されている映像データのうち主映像データのみをデコードする。マイコン１３０はデコードした主映像データのみを出力するようスイッチ１３６を制御するとともに、デコードした主映像データのみを外部機器に出力するようＨＤＭＩ１５０を制御する（Ｓ１２０）。このとき、マイコン１３０（ビデオデコーダ１３３）は副映像データをデコードしない。
【００４０】
一方、番組データのＨＤＤ１４０への記録を現在実行していないと判断すると（Ｓ１１０においてＮＯ）、マイコン１３０は、使用者から、早送り再生等の特殊再生の指示を受け付けているか否かを判断する（Ｓ１３０）。
【００４１】
特殊再生の指示を受け付けていると判断すると（Ｓ１３０においてＹＥＳ）、マイコン１３０は、ビデオデコーダ１３３により、ＢＤに記録されている映像データのうち主映像データのみをデコードするとともに、デコードした主映像データのみを出力するようＨＤＭＩ１５０を制御する（Ｓ１２０）。このとき、スイッチ１３６は、デコードした主映像データのみを出力するよう制御される。
【００４２】
一方、特殊再生指示を受け付けていないと判断すると（Ｓ１３０においてＮＯ）、すなわち、通常再生方式で再生する場合、マイコン１３０は、ビデオデコーダ１３３により、映像データのうち主映像データと副映像データとを共にデコードする。さらに、マイコン１３０は、デコード済みの主映像データと副映像データとが重畳されるようスイッチ１３６を制御するとともに、重畳した映像データを外部機器に出力するようにＨＤＭＩ１５０を制御する（Ｓ１４０）。
【００４３】
このように、本実施の形態にかかるレコーダ１００は、ＢＤに含まれる映像データを特殊再生でなく通常再生方式で再生する場合には、デコード済み主映像データとデコード済み副映像データとを合成したデータを出力するようＨＤＭＩ１５０を制御する。一方、映像データを通常再生方式よりも多くのデコーダ処理性能が必要な特殊再生方式により再生する場合（特殊再生の一つである早送り再生をする場合等）には、レコーダ１００は、デコード済み主映像データのみを出力するようＨＤＭＩ１５０を制御する。このように構成する理由について次に説明する。
【００４４】
例えば、特殊再生として、２倍の早送り再生を実行する場合を考える。このような特殊再生を実施する場合、マイコン１３０は、通常の２倍の速度で映像データのデコード処理等の映像信号処理を実行する必要がある。同時に、デコード済みの映像データのバッファ１３３ｂ、１３３ｃへの書き込み・読み出し処理も２倍になる。従って、マイコン１３０のデコード処理等の能力があまり高くない場合や、バッファ１３３ｂ、１３３ｃへの書き込み・読み出し速度があまり高くない場合には、全ての映像データが正確に出力されず、映像を正しく再現できない場合がある。
【００４５】
また、早送り再生等の特殊再生を行う場合、圧縮済みの映像データのうちのイントラフレームのみをデコードする場合がある。しかしながら、本実施の形態において、副映像データは、ＢＤ上において、ＭＶＣにおけるディペンデントビューとして記録されている。上述した通り、ディペンデントビューはイントラフレームを含んでいない。従って、特殊再生時にイントラフレームのみデコードするような場合に、ディペンデントビューがイントラフレームを含んでいないため、特殊再生時には副映像データが一切デコードされないという事態も生じ得る。
【００４６】
そこで、本実施の形態にかかるレコーダ１００は、ＢＤに含まれる映像データを、高い信号処理能力が要求されない通常の速度で再生する場合には、主映像データと副映像データとを合成して出力する。これにより、高階調の映像を再生できる。一方、映像データを通常の速度よりも速い速度で再生する場合（例えば、特殊再生の一つである早送り再生）は、レコーダ１００は、主映像データのみを出力する。このように主映像データのみを処理するようにしたことにより、速い速度で再生する場合であっても、マイコンの処理負荷の増大を防止でき、結果として、映像信号処理能力やバッファへのアクセス速度がさほど高くないマイコンを用いても、映像を正しく再生することが可能となる。すなわち、以上の構成により、主映像データと、主映像データが示す画像の階調を補完するデータを含む副映像データとを併せて出力することで高階調の映像を出力するレコーダであって、出力する映像を正しく再現できる可能性が高いレコーダを提供できる。
【００４７】
また、本実施の形態にかかるレコーダ１００において、マイコン１３０は、映像データをＨＤＤ１４０に記録中である場合には（Ｓ１１０でＹＥＳ）、映像データを通常再生方式で再生する場合であっても、デコード済み主映像データのみを出力するようＨＤＭＩ１５０を制御する。このように構成する理由を次に説明する。
【００４８】
レコーダ１００がチューナ１１０を介して放送を受信し、録画する場合、マイコン１３０は、受信した映像データ（例えば、ＭＰＥＧ２により圧縮されている）を一度デコードする。マイコン１３０は、デコードした映像データを別の方式（例えば、ＭＰＥＧ４−ＡＶＣ）によりエンコードし、エンコード済みの映像データをＨＤＤ１４０に記録する。このように、ＨＤＤ１４０に映像データを記録する場合には、マイコン１３０は、デコード処理及びエンコード処理を実行する。ＨＤＤ１４０への記録のための映像データのデコードと、主映像データのデコードと、副映像データのデコードとが重なると、一部の映像データが正しくデコードできないような事態も想定される。
【００４９】
そこで、本実施の形態にかかるレコーダ１００において、マイコン１３０は、映像データをＨＤＤ１４０に記録中に再生動作を行う場合には、映像データを通常再生方式で再生する場合であっても、主映像データのみを出力するようＨＤＭＩ１５０を制御する。これにより、主映像データと主映像データが示す画像の階調を補完するデータを含む副映像データとを併せて出力することで高階調の映像を出力するレコーダであって、出力する映像を正しく再現できる可能性が高いレコーダを提供できる。
【００５０】
１−６．効果等
以上のように本実施形態のレコーダ１００は、主映像データと、主映像データが示す画像の階調を補完するデータを含む副映像データとをデコード可能なビデオデコーダ１３３と、ビデオデコーダ１３３によりデコードされた、主映像データおよび／または副映像データを出力可能なＨＤＭＩ１５０と、ＨＤＭＩ１５０を制御するマイコン１３０と、を備える。マイコン１３０は、通常再生方式で映像データを再生する場合には、デコードされた主映像データとデコードされた副映像データとが合成されたデータを出力するようＨＤＭＩ１５０を制御し、通常再生方式よりも高いデコード処理性能が必要な特殊再生方式で映像データを再生する場合には、デコードされた主映像データのみを出力するようＨＤＭＩ１５０を制御する。
【００５１】
以上の構成により、通常再生方式の再生では高い階調の映像を再現しつつ、特殊再生方式での再生におけるデコード処理の負荷を低減できる。
【００５２】
２．他の実施の形態
以上のように、本出願において開示する技術の例示として、実施の形態１を説明した。しかしながら、本開示における技術は、これに限定されず、適宜、変更、置き換え、付加、省略などを行った実施の形態にも適用可能である。以下、他の実施の形態を例示する。
【００５３】
実施の形態１においては、ＢＤ上において、主映像データと副映像データとがＭＶＣフォーマットに則って記録されることとした。しかしながら、必ずしもこのような構成に限られない。例えば、主映像データと副映像データとがそれぞれ独立した映像データとして記録されていてもよい。要するに、主映像データと副映像データとがそれぞれ区別可能に管理されていればよい。
【００５４】
また、実施の形態１においては、主映像データと副映像データとがそれぞれ同じＢＤ上に記録されていることとした。しかしながら、必ずしもこのような構成に限定されない。例えば、主映像データはＢＤ上に記録されているが、副映像データはメモリカードスロット（図示せず）に挿入可能なメモリカードに記録されていてもよい。また、主映像データはＢＤ上に記録されているが、副映像データは、無線通信モジュール１７０を介して外部のサーバから受信するような構成であってもよい。すなわち、主映像データと副映像データとはそれぞれ異なる記録媒体に記録されていてもよい。
【００５５】
また、実施の形態１においては、主映像データと副映像データとを重畳した際に、１２ｂｉｔの高階調な映像データを出力することとした。しかしながら、必ずしもこのような構成に限定されない。例えば、主映像データと副映像データとを重畳した際に、１０ｂｉｔの高階調な映像データを出力する構成としてもよい。この場合には、レコーダ１００は、副映像データをＬＳＢ側に２ｂｉｔシフトした後に主映像データと加算する。また、ＢＤ内に副映像データのｂｉｔシフト量を記録しておくような方式であってもよい。この場合には、レコーダ１００は、ＢＤ内のｂｉｔシフト量を示す情報を参照し、演算ユニット１３４で副映像データのｂｉｔシフト演算を実行すればよい。
【００５６】
また、実施の形態１においては、ＨＤＤ１４０に映像データを記録している場合には、特殊再生の有無に関わらず、主映像データのみを出力することとした。しかしながら、必ずしもこのような構成に限られない。例えば、チューナ１１０を介して受信した映像データを再エンコードしてＨＤＤ１４０に記録している場合には、特殊再生の有無に関わらず、主映像データのみを出力するが、チューナ１１０を介して受信した映像データを再エンコードせずにそのままＨＤＤ１４０に記録している場合には、特殊再生している場合にのみ、主映像データのみを出力するような構成であってもよい。
【００５７】
また、実施の形態１においては、特殊再生方式の例として早送り再生を挙げた。しかしながら、必ずしもこのような例には限定されない。例えば、映像データ（フレーム）を逆方向に再生する方式（巻き戻し再生）であってもよいし、逆方向に再生しつつ再生スピードを落とすような方式（逆スロー再生）であってもよい。
【００５８】
また、実施の形態１においては、映像データの記録中において、映像データを通常再生方式で再生する場合においても、デコード済み主映像データのみを出力することとした。しかしながら、必ずしもこのような構成とする必要はない。例えば、映像データの記録中でかつ、映像データを特殊再生方式で再生する場合のみ、デコード済み主映像データのみを出力する構成としてもよい。要するに、主映像データをデコードしている際に、副映像データをデコードできない場合には、デコード済み主映像データのみを出力し、主映像データをデコードしている際に、副映像データをデコードできる場合には、デコード済み主映像データとデコード済み副映像データとを合成して出力するようにすればよい。
【００５９】
また、図２に示したマイコン１３０に含まれる機能ブロックの一部を、マイコン１３０とは別のマイコンに含めるようにしてもよい。
【００６０】
また、レコーダ１００は、デコード後のメニューデータ、字幕データ、映像データの各々についてリサイズ処理を行う機能を有してもよく、リサイズ処理後の各データを合成してＨＤＭＩ１５０を介して外部機器に出力するようにしてもよい。そのような場合、リサイズ処理を実行する際には、主映像データのみを出力するようにし、リサイズ処理を実行しない場合に主映像データと副映像データを重畳して出力するようにしてもよい。また、デコード後の映像データについて、副映像データと合成する前に画質調整処理を行ってもよく、この場合も同様に、画質調整処理を実行する際には、主映像データのみを出力するようにし、画質調整処理を実行しない場合に主映像データと副映像データを重畳して出力するようにしてもよい。
【００６１】
以上のように、本開示における技術の例示として、実施の形態を説明した。そのために、添付図面および詳細な説明を提供した。
【００６２】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示によれば、マスタデータと同等の高階調の映像を出力することができる映像出力装置を提供できる。よって、本開示の思想は、ＢＤプレーヤやＢＤレコーダ等の光ディスクを再生可能な映像出力装置に適用できる。
【手続補正３】
【補正対象書類名】図面
【補正対象項目名】全図
【補正方法】変更
【補正の内容】
【図１】
2013125158.tif 000007
【図２】
2013125158.tif 000008
【図３】
2013125158.tif 000009
【図４】
2013125158.tif 000010
【国際調査報告】
2013125158.tif 000011
2013125158.tif 000012
2013125158.tif 000013
2013125158.tif 000014